(57)【特許請求の範囲】
【請求項１】
ボトムを支持するベッドフレームに溝形支持部材を横方向に設置し、取付品支持部材に突設した支持用棒状体を前記溝形支持部材の溝部に摺動可能に嵌合する構成とし、前記溝形支持部材には、その開口側に、底部側方向に前記支持用棒状体を押圧する押圧支持機構と、その回転操作部材を設け、前記押圧支持機構は、前記溝形支持部材の開口側の縁部間に架設し、一端側にナットを設けると共に、他端側に回転操作部材を設けたボルトと、このボルトに係合し、傾斜面により滑り可能に当接する第１、第２の作動部材とから構成し、第１の作動部材は、ボルトに対して実質的に遊び無く係合して軸方向に移動可能な構成とすると共に、第２の作動部材は前記傾斜面に沿って移動可能とするように遊びを持ってボルトに係合し、回転操作部材の操作により第１の作動部材を第２の作動部材に圧接させた際に、傾斜面に沿って第２の作動部材が移動する側に支持用棒状体を配置した構成とし、更に前記支持用棒状体には、前記溝形支持部材の底部側に突起を設けると共に、溝形支持部材の底部には、前記突起に係合する係合部を、長さ方向に複数設けたことを特徴とするベッドにおける取付品支持位置可変機構。
【請求項２】
ボトムを支持するベッドフレームに溝形支持部材を横方向に設置し、取付品支持部材に突設した支持用棒状体を前記溝形支持部材の溝部に摺動可能に嵌合する構成とし、前記溝形支持部材には、その開口側に、底部側方向に前記支持用棒状体を押圧する押圧支持機構と、その回転操作部材を設け、前記押圧支持機構は、前記溝形支持部材の開口側の縁部間に架設し、一端側にナットを設けると共に、他端側に回転操作部材を設けたボルトと、このボルトに係合し、傾斜面により滑り可能に当接する第１、第２の作動部材とから構成し、第１の作動部材は、ボルトに対して実質的に遊び無く係合して軸方向に移動可能な構成とすると共に、第２の作動部材は前記傾斜面に沿って移動可能とするように遊びを持ってボルトに係合し、回転操作部材の操作により第１の作動部材を第２の作動部材に圧接させた際に、傾斜面に沿って第２の作動部材が移動する側に支持用棒状体を配置した構成とし、更に前記支持用棒状体には、前記溝形支持部材の底部側に、係合部を、長さ方向に複数設けると共に、前記溝形支持部材の底部には、前記係合部に係合する突起を設けたことを特徴とするベッドにおける取付品支持位置可変機構。
【請求項３】
ボルトは段付ボルトとし、段部により第１の作動部材を押動する構成としたことを特徴とする請求項１又は２に記載のベッドにおける取付品支持位置可変機構。
【請求項４】
第１の作動部材を第２の作動部材の両側に設けたことを特徴とする請求項１〜３のいずれか１項に記載のベッドにおける取付品支持位置可変機構。
【請求項５】
ボトムを支持するベッドフレームに溝形支持部材を横方向に設置し、取付品支持部材に突設した支持用棒状体を前記溝形支持部材の溝部に摺動可能に嵌合する構成とし、前記溝形支持部材には、その開口側に、底部側方向に前記支持用棒状体を押圧する押圧支持機構と、その回転操作部材を設け、前記押圧支持機構は、前記溝形支持部材の開口側の縁部間に架設し、一端側に回転軸受を設けると共に、他端側に回転操作部材を設けたボルトと、ボルトに係合し、傾斜面により滑り可能に当接する第１、第２の作動部材とから構成し、第１の作動部材は、ボルトに螺合して軸方向に移動可能な構成とすると共に、第２の作動部材は前記傾斜面に沿って移動可能とするように遊びを持ってボルトに係合し、回転操作部材の操作により第１の作動部材を第２の作動部材に圧接させた際に、傾斜面に沿って第２の作動部材が移動する側に支持用棒状体を配置し、更に前記支持用棒状体には、前記溝形支持部材の底部側に突起を設けると共に、溝形支持部材の底部には、前記突起に係合する係合部を、長さ方向に複数設けたことを特徴とするベッドにおける取付品支持位置可変機構。
【請求項６】
ボトムを支持するベッドフレームに溝形支持部材を横方向に設置し、取付品支持部材に突設した支持用棒状体を前記溝形支持部材の溝部に摺動可能に嵌合する構成とし、前記溝形支持部材には、その開口側に、底部側方向に前記支持用棒状体を押圧する押圧支持機構と、その回転操作部材を設け、前記押圧支持機構は、前記溝形支持部材の開口側の縁部間に架設し、一端側に回転軸受を設けると共に、他端側に回転操作部材を設けたボルトと、ボルトに係合し、傾斜面により滑り可能に当接する第１、第２の作動部材とから構成し、第１の作動部材は、ボルトに螺合して軸方向に移動可能な構成とすると共に、第２の作動部材は前記傾斜面に沿って移動可能とするように遊びを持ってボルトに係合し、回転操作部材の操作により第１の作動部材を第２の作動部材に圧接させた際に、傾斜面に沿って第２の作動部材が移動する側に支持用棒状体を配置し、更に前記支持用棒状体には、前記溝形支持部材の底部側に、係合部を、長さ方向に複数設けると共に、前記溝形支持部材の底部には、前記係合部に係合する突起を設けたことを特徴とするベッドにおける取付品支持位置可変機構。
【請求項７】
第１の作動部材には、開口側の縁部の縁に当接する回動防止部を設けたことを特徴とする請求項１〜６のいずれか１項に記載のベッドにおける取付品支持位置可変機構。
【請求項８】
第１の作動部材と第２の作動部材に、相対的回動を防止する係合部を設けたことを特徴とする請求項７に記載のベッドにおける取付品支持位置可変機構。
【請求項９】
取付品支持部材に取り付ける取付品はベッドの側部に取り付ける付属品であり、溝形支持部材は、ベッドフレームの幅方向に突設することを特徴とする請求項１〜８のいずれか１項に記載のベッドにおける取付品支持位置可変機構。
【請求項１０】
取付品支持部材に取り付ける取付品はベッドの長手方向端部側に取り付けるボードであり、溝形支持部材はベッドフレームの長手方向に突設することを特徴とする請求項１〜８のいずれか１項に記載のベッドにおける取付品支持位置可変機構。
【発明の詳細な説明】
【技術分野】
【０００１】
本発明は、ベッドにおける取付品、例えばベッドの長手方向端部側に取り付けるボード（ヘッドボード、フットボード）や、ベッドの幅方向端部側に取り付けるサイドレールやＩＶポール等の付属品を支持する位置を変更可能とすることにより、ベッドの床長または床幅の変更に適用できるようにしたベッドにおける取付品支持位置可変機構に関するものである。
【背景技術】
【０００２】
例えば、病院や在宅において老人や病人等が使用するベッドの床長は、短いと使い勝手が悪く、また必要以上に長いと所要スペースが大きくなってしまう。そこで製造者側では、標準的な床長のベッドに加えて、それよりも短いベッドや長いベッドを提供可能としている。
【０００３】
床長の異なったベッドを構成するための従来の方法としては、床長毎に異なるベッドフレームを設ける方法、ベッドの頭側又は足側に延長フレームを後付けして床長を延長する方法や、ベッドの足側のフレームをスライド式に延長可能とする方法等が行われている。
【０００４】
その他、特許文献１では、ベッドのボトムを支持する支持台を、ヘッド支持台、フット支持台及び中間支持台とから構成し、それらの間の間隔を調整可能に構成することにより、床長を調節可能に構成している。
【０００５】
また特許文献２では、ベッドフレームを、ヘッドフレームとフットフレームと、それらの間の伸縮自在のサイドフレームと、ヘッド側サイドフレームと連結されたインナー及びアウタージョイントとから構成し、これらのインナー及びアウタージョイントに対してフット側サイドフレームを進退させて固定することにより、床長を調節可能に構成している。
【０００６】
そして、以上のようなベッドにおいては、その側部にサイドレールやＩＶポール等の付属品を取り付けて支持するための支持機構を設けている。この支持機構としては、例えば特許文献３に示すように、ボトムを支持するベッドフレームの長手方向部材に取付孔を設けて付属品支持部材を取り付ける機構が多く用いられている。
【０００７】
一方、ベッドにおいて、床幅、即ち、ボトムの幅は、例えば830mmのものと910mmのものの２種類が多く用いられている。
【０００８】
このような床幅の異なるボトムを用いる場合においても、サイドレール等の付属品をベッドフレームの所定位置に取り付けられるようにするために、従来は、幅の異なるボトム毎に、異なる幅のベッドフレームを構成している。
【０００９】
その他、特許文献４では、中枠を交換せずに頭枠と足枠を変更するだけでベッドフレームの幅をボトムの床幅に対応させるようにしている。
【特許文献１】特開２００４−２９８５３０号公報
【特許文献２】特開２００５−２０４９９２号公報
【特許文献３】特開２０００−１６６７０３号公報
【特許文献４】特開平１０−８５０８１号公報
【発明の開示】
【発明が解決しようとする課題】
【００１０】
以上の従来の技術においては、まず床長に関して次のような課題がある。
１．床長毎に異なるベッドフレームを設ける方法では、床長の種類分のベッドフレームが必要となり、製造コストや管理コストが増大する。
２．延長フレームを後付けする方法では、それ自体が比較的大きくなってしまうので、保管や移動性が悪い。
３．フレームをスライド式に延長可能とする方法では、機構部品が大掛かりとなり、部品点数の増加や製造コストの増大につながる。
４．特許文献１に示されるような方法では、ベッドの構成に制約があり、また特許文献２に示されるような方法では、床長の変更に際してはベッドフレームを分解しなければならず、面倒である。
【００１１】
また、以上の従来の技術において、床幅に関しては次のような課題がある。
１．付属品をベッドフレームの所定位置に取り付けられるようにするために、幅の異なるボトム毎に異なったベッドフレームを構成するのでは、コスト高となってしまう。
２．特許文献２のように、異なったボトムの幅に対して、ベッドフレームの一部、即ち中枠を共通化しているが、一部の共通化であるのでコストの低減効果は比較的小さく、組立も面倒である。
本発明は、以上のような課題を解決することを目的とするものである。
【課題を解決するための手段】
【００１２】
上述した課題を解決するために、本発明では、ボトムを支持するベッドフレームに溝形支持部材を横方向に設置し、取付品支持部材に突設した支持用棒状体を前記溝形支持部材の溝部に摺動可能に嵌合する構成とし、前記溝形支持部材には、その開口側に、底部側方向に前記支持用棒状体を押圧する押圧支持機構と、その回転操作部材を設け、前記押圧支持機構は、前記溝形支持部材の開口側の縁部間に架設し、一端側にナットを設けると共に、他端側に回転操作部材を設けたボルトと、このボルトに係合し、傾斜面により滑り可能に当接する第１、第２の作動部材とから構成し、第１の作動部材は、ボルトに対して実質的に遊び無く係合して軸方向に移動可能な構成とすると共に、第２の作動部材は前記傾斜面に沿って移動可能とするように遊びを持ってボルトに係合し、回転操作部材の操作により第１の作動部材を第２の作動部材に圧接させた際に、傾斜面に沿って第２の作動部材が移動する側に支持用棒状体を配置した構成とし、更に前記支持用棒状体には、前記溝形支持部材の底部側に突起を設けると共に、溝形支持部材の底部には、前記突起に係合する係合部を、長さ方向に複数設けたベッドにおける取付品支持位置可変機構を提案する。
【００１３】
また本発明では、ボトムを支持するベッドフレームに溝形支持部材を横方向に設置し、取付品支持部材に突設した支持用棒状体を前記溝形支持部材の溝部に摺動可能に嵌合する構成とし、前記溝形支持部材には、その開口側に、底部側方向に前記支持用棒状体を押圧する押圧支持機構と、その回転操作部材を設け、前記押圧支持機構は、前記溝形支持部材の開口側の縁部間に架設し、一端側にナットを設けると共に、他端側に回転操作部材を設けたボルトと、ボルトに係合し、傾斜面により滑り可能に当接する第１、第２の作動部材とから構成し、第１の作動部材は、ボルトに対して実質的に遊び無く係合して軸方向に移動可能な構成とすると共に、第２の作動部材は前記傾斜面に沿って移動可能とするように遊びを持ってボルトに係合し、回転操作部材の操作により第１の作動部材を第２の作動部材に圧接させた際に、傾斜面に沿って第２の作動部材が移動する側に支持用棒状体を配置した構成とし、更に前記支持用棒状体には、前記溝形支持部材の底部側に、係合部を、長さ方向に複数設けると共に、前記溝形支持部材の底部には、前記係合部に係合する突起を設けたベッドにおける取付品支持位置可変機構を提案する。
【００１４】
また本発明では上記の構成において、ボルトは段付ボルトとし、段部により第１の作動部材を押動する構成とすること提案する。
【００１５】
また本発明では上記の構成において、第１の作動部材を第２の作動部材の両側に設けることを提案する。
【００１６】
また本発明では、ボトムを支持するベッドフレームに溝形支持部材を横方向に設置し、取付品支持部材に突設した支持用棒状体を前記溝形支持部材の溝部に摺動可能に嵌合する構成とし、前記溝形支持部材には、その開口側に、底部側方向に前記支持用棒状体を押圧する押圧支持機構と、その回転操作部材を設け、前記押圧支持機構は、前記溝形支持部材の開口側の縁部間に架設し、一端側に回転軸受を設けると共に、他端側に回転操作部材を設けたボルトと、ボルトに係合し、傾斜面により滑り可能に当接する第１、第２の作動部材とから構成し、第１の作動部材は、ボルトに螺合して軸方向に移動可能な構成とすると共に、第２の作動部材は前記傾斜面に沿って移動可能とするように遊びを持ってボルトに係合し、回転操作部材の操作により第１の作動部材を第２の作動部材に圧接させた際に、傾斜面に沿って第２の作動部材が移動する側に支持用棒状体を配置し、更に前記支持用棒状体には、前記溝形支持部材の底部側に突起を設けると共に、溝形支持部材の底部には、前記突起に係合する係合部を、長さ方向に複数設けたベッドにおける取付品支持位置可変機構を提案する。
【００１７】
また本発明では、ボトムを支持するベッドフレームに溝形支持部材を横方向に設置し、取付品支持部材に突設した支持用棒状体を前記溝形支持部材の溝部に摺動可能に嵌合する構成とし、前記溝形支持部材には、その開口側に、底部側方向に前記支持用棒状体を押圧する押圧支持機構と、その回転操作部材を設け、前記押圧支持機構は、前記溝形支持部材の開口側の縁部間に架設し、一端側に回転軸受を設けると共に、他端側に回転操作部材を設けたボルトと、ボルトに係合し、傾斜面により滑り可能に当接する第１、第２の作動部材とから構成し、第１の作動部材は、ボルトに螺合して軸方向に移動可能な構成とすると共に、第２の作動部材は前記傾斜面に沿って移動可能とするように遊びを持ってボルトに係合し、回転操作部材の操作により第１の作動部材を第２の作動部材に圧接させた際に、傾斜面に沿って第２の作動部材が移動する側に支持用棒状体を配置し、更に前記支持用棒状体には、前記溝形支持部材の底部側に、係合部を、長さ方向に複数設けると共に、前記溝形支持部材の底部には、前記係合部に係合する突起を設けたベッドにおける取付品支持位置可変機構を提案する。
【００１８】
また本発明では、上記押圧支持機構において、第１の作動部材には、開口側の縁部の縁に当接する回動防止部を設けることを提案する。そして本発明では、この構成において、第１の作動部材と第２の作動部材に、相対的回動を防止する係合部を設けることを提案する。
【００２０】
更に本発明では、以上の構成において、取付品支持部材に取り付ける取付品はベッドの側部に取り付ける付属品であり、溝形支持部材は、ベッドフレームの幅方向に突設することを提案する。
【００２１】
更に本発明では以上の構成において、取付品支持部材に取り付ける取付品はベッドの長手方向端部側に取り付けるボードであり、溝形支持部材はベッドフレームの長手方向に突設することを提案する。
【発明の効果】
【００２２】
本発明では、ベッドフレームに設置した溝形支持部材の溝部に、取付品支持部材の支持用棒状体を摺動可能に嵌合し、そして支持用棒状体を摺動させることにより、取付品支持部材をベッドフレームに対して適宜の位置にもたらした後、回転操作部材を手動操作して押圧支持機構により支持用棒状体を押圧する。こうして支持用棒状体は溝形支持部材の溝部に摺動不能に固定され、従って取付品支持部材をベッドフレームに対して取付状態とすることができる。
【００２３】
この取付状態において、回転操作部材を手動操作して第１の作動部材を第２の作動部材から離すと、第２の作動部材による支持用棒状体への押圧が解除されるので、支持用棒状体は溝形支持部材の溝部内において摺動可能となり、取付位置を調節することができる。
【００２４】
第１の作動部材に回動防止部を設ければ、第２の作動部材による支持用棒状体への押圧を解除した際に、第１の作動部材が回動してしまうことを防止することができるので、次の取付操作が容易である。第１の作動部材の回動防止部に加え、第１の作動部材と第２の作動部材に、相対的回動を防止する係合部を設ければ第２の作動部材の回動も防止できるので、取付操作が更に容易となる。
【００２５】
本発明では、支持用棒状体に突起又は係合部を設けると共に、溝形支持部材に、係合部又は突起を設け、係合部を長さ方向に複数設けた構成とすれば、押圧支持機構により押圧された状態では、突起と係合部との係合により溝形支持部材に対しての支持用棒状体の摺動が不能となるので、溝形支持部材に対しての支持用棒状体の取り付け、従って取付品支持部材の取り付けを、より一層確実に、強固に行うことができると共に、取付位置が段階的に変更可能であるので、位置決めも容易である。
【００２６】
本発明において、押圧支持機構としては、回転操作部材を設けたボルトに係合させ、傾斜面により滑り可能に当接する第１と第２の作動部材を要素とした構成とし、回転操作部材によりボルトを回転させて第１の作動部材を移動することにより、第２の作動部材を押動し、この際、第２の作動部材を、傾斜面に沿った滑りにより支持用棒状体方向に移動させることにより、支持用棒状体に対しての押圧支持を確実に行うことができる。
【００２７】
この機構において、第１の作動部材を第２の作動部材の両側に設ける場合には、部品点数は多くなるものの、第２の作動部材を傾斜面に沿って支持用棒状体方向に滑らせるための第１の作動部材からの押圧力を、第２の作動部材の左右側から均等に加えることができるので、より円滑な動作が可能となる。
【００２８】
取付品支持部材に取り付ける取付品を、サイドレールやＩＶポール等の、ベッドの側部に取り付ける付属品とした場合には、共通のベッドフレームに対して、支持するボトムの幅を変更した場合にも、取付品支持部材を適切な位置に支持することができる。
【００２９】
また取付品支持部材に取り付ける取付品を、ベッドの長手方向端部側に取り付けるボードとした場合には、このボード、即ちヘッドボード又はフットボードの支持位置を変更することにより、ベッドフレームの床長の変更に対応させることができる。
【発明を実施するための最良の形態】
【００３０】
次に本発明のベッドにおける取付品支持位置可変機構の実施の形態を添付図面を参照して詳細に説明する。
まず図１〜図９に示す実施の形態を説明する。図１は本発明を適用するベッドをボトムを省略して示す斜視図であり、符号１はベッドフレームで、２がその長手方向部材である。まず、この実施の形態は、後述する取付品支持部材４に取り付ける取付品を、サイドレールやＩＶポール等の、ベッドの側部に取り付ける付属品とした場合のものであり、本発明の取付品支持位置可変機構は、図１に示すようにベッドの頭側及び足側の両側の個所、即ち、４個所に設置するものである。
【００３１】
符号３は溝形支持部材であり、この溝形支持部材３は、その溝部の長さ方向を、ベッドフレーム１の幅方向の外側に向けて長手方向部材２に設置している。符号４は取付品支持部材であり、５はその両側の横方向に突設した支持用棒状体である。この実施の形態では、この支持用棒状体５も枠部材により構成しており、溝形支持部材３の溝部に嵌合可能な構成である。
【００３２】
次に符号６は押圧支持機構を概観的に示すもので、この押圧支持機構６は、溝形支持部材３の開口側の縁部７ａ，７ｂに架設し、一端側にナット８を設けると共に、他端側に回転操作部材９を設けたボルト１０と、このボルト１０に係合した第１の作動部材１１と第２の作動部材１２とから構成している。符号１３、１４は夫々第１、第２の作動部材１１、１２の係合孔を示すものである。図に示すように、ボルト１０は段付ボルトで、先端側にのみ雄ねじ部１５を形成している。そして、第１の作動部材１１は、係合孔１３の内径をボルト１０の外径よりも僅かに大きく形成しているので、実質的に遊び無くボルト１０に係合して移動可能であり、段部１６が図中左側に当接して右方向に駆動されるように構成している。一方、第２の作動部材１２の係合孔１４は、その上下方向においてボルト１０の外径よりも大きくして遊びが形成されている。更にこれらの第１の作動部材１１と第２の作動部材１２は傾斜面１７により滑り可能に当接する形状としている。この傾斜面１７は、上側に第１の作動部材１１、下側に第２の作動部材１２が配置される構成である。
【００３３】
図に示すように第１の作動部材１１には、開口側の縁部７ａの上方に位置して、当接する回動防止部１８が形成されている。尚、この実施の形態とは異なり、図５、図６に示すように回動防止部１８を省略した構成とすることもできる。
【００３４】
次に符号１９は支持用棒状体５の先端下側に設けた突起であり、この突起１９に係合する係合部２０ａ，２０ｂ，２０ｃ、この場合、係合孔を、長さ方向に複数設けている。
【００３５】
尚、図中符号２１はベッドフレーム１により支持されるボトム、２２は取付品支持部材４に設けた取付孔、２３は支持用棒状体５に設けた補強リブを示すものである。また図１において、符号２４はベッドの長手方向端部側に取り付けるボード、この場合、フットボードを示すもので、２５はフットボード２４を着脱可能に取り付けるボード受けである。このボード受け２５には支持用棒状体２６を突設して、この支持用棒状体２６をベッドフレーム１の長手方向部材２に伸縮可能に取り付ける構成としており、２７が支持用棒状体２６を長手方向部材２に着脱するための回転操作部材である。
【００３６】
以上の構成において、本発明では、取付品支持部材４に突設した支持用棒状体５を溝形支持部材３の溝部に嵌合し、そして嵌合した支持用棒状体５を溝部に沿って摺動させて取付品支持部材４をボトム２１の床幅に応じた適切な位置にもたらした後、回転操作部材９を手動操作して押圧支持機構６を支持用棒状体５に押圧することにより、支持用棒状体５を摺動不能として取付状態とすることができる。
【００３７】
即ち、図３は回転操作部材９を、押圧を緩む方向に回転してボルト１０を後退させた状態を示すもので、この状態では、第１の作動部材１１は第２の作動部材１２に圧接していないので、この場合には、支持用棒状体５は溝形支持部材３の溝に沿って移動が可能である。尚、この状態において、第１の作動部材１１には回動防止部１８が設けられていて、これが開口側の縁部７ａに当接するため、第１の作動部材１１が、その重量バランスにより回動してしまうのを防止することができる。しかしながら押圧を緩めた程度によっては第２の作動部材１２によって第１の作動部材１１の回動を防ぐことができるので、図５に示すように回動防止部を設けないことも可能である。
【００３８】
上述したとおり、支持用棒状体５の先端下側には突起１９が設けられており、この突起１９に係合する係合部２０ａ，２０ｂ，２０ｃが溝形支持部材３の長さ方向に複数設けられているので、支持用棒状体５は、突起１９が各係合部２０ａ，２０ｂ，２０ｃに対応する毎に位置決めが可能である。
【００３９】
こうして支持用棒状体５の突起１９をいずれかの係合部２０ａ，２０ｂ，２０ｃに係合した後、回転操作部材９によりボルト１０をナット８に螺合して行くと、ボルト１０の段部１６に押されて第１の作動部材１１が図中右方向に移動して行く。そして移動により第１の作動部材１１と第２の作動部材１２が傾斜面１７を介して当接する。この状態において更に回転操作部材９を操作して第１の作動部材１１を図中右方向に移動すると、第１の作動部材１１は傾斜面１７を介して第２の作動部材１２を滑らせて下方に移動させる。このため第２の作動部材１２の下面は、図４に示すように、突起１９がいずれかの係合部２０ａ，２０ｂ，２０ｃに係合している状態の支持用棒状体５を、その係合方向と同方向に押圧するため、支持用棒状体５を溝形支持部材３の溝部にガタ無く強固に固定することができる。
【００４０】
こうして取付品支持部材４に設けた取付孔２２にサイドレールの支柱やＩＶポール等を差し込んで支持し、ベッドの側部に取り付けて使用状態とすることができる。
【００４１】
図７〜図９は、支持用棒状体５の突起１９を夫々係合部２０ａ，２０ｂ，２０ｃに係合させた場合の取付品支持部材４の支持位置を示すものである。尚、これらの図においては、押圧支持機構６は、符号のみを指示して具体的な構成の図示は省略している。
【００４２】
まず図７はベッドフレーム１により、床幅８３０ｍｍのボトム２１を支持している場合において、突起１９を係合部２０ａに係合させて固定した状態を示すものである。この状態では、取付品支持部材４はボトム２１の端縁よりも内側に位置しており格納状態である。
【００４３】
次いで図８は図７と同様にベッドフレーム１により、床幅８３０ｍｍのボトム２１を支持している場合において、突起１９を係合部２０ｂに係合させて固定した状態を示すものである。この状態では、取付品支持部材４はボトム２１の端縁よりも適宜外側に位置しており、したがって上述したように取付品支持部材４に設けた取付孔部材２２の取付孔にサイドレールの支柱やＩＶポール等を差し込んで支持し、ベッドの側部に取り付けて使用状態とすることができる。
【００４４】
次に、図８のボトム２１に代えて、ベッドフレーム１により図中２点鎖線で示す床幅９１０ｍｍのボトム２１’を支持して床幅の広いベッドを構成している場合には、取付品支持部材４はボトム２１の端縁よりも内側に位置してしまうため、使用することができない。
【００４５】
そこで本発明では、図９に示すように、突起１９を係合部２０ｂに代えて、係合部２０ｃに係合させて、押圧支持機構６により固定する。この位置で固定すると、床幅の長いボトム２１’の場合にも取付品支持部材４はボトム２１’の端縁よりも適宜外側に位置するため、使用状態とすることができる。
【００４６】
尚、以上の実施の形態では、第１の作動部材１１はボルト１０との螺合により進退させるのではなく、ボルト１０を段付きとして、その段部１６により押動する構成としているが、ボルトとの螺合により進退させるように構成することもできる。この場合には、上記ナット８に代えて、回転軸受を設ければ良い。
【００４７】
また以上の実施の形態では、支持用棒状体５に突起１９を設けると共に、溝形支持部材３に係合部２０ａ，２０ｂ，２０ｃを設けているが、これと逆に、支持用棒状体に係合部、溝形支持部材に突起を設けても良い。
【００４８】
更に突起と係合部に代えて、溝形支持部材３と支持用棒状体５の双方に、係合する多数の凹凸を設けたり、凹凸に代えて摩擦面とすることも可能である。
【００４９】
次に図１０〜図１３は本発明の他の実施の形態を示すものである。
この実施の形態は、以上の実施の形態の構成に加えて、第１の作動部材１１と第２の作動部材１２に、相対的回動を防止する係合部を設けたことを特徴とするもので、その他の構成要素は同様であるので、対応する構成要素には同一の符号を付して重複する説明は省略する。
即ち、この実施の形態では、第１の作動部材１１に設けた断面矩形状突出部２９と、この断面矩形状突出部２９を上下動可能に係合させる切欠部２８とにより係合部を構成しており、これと上記回動防止部１８を設けていることにより、第２の作動部材による支持用棒状体への押圧を解除した際に、第１の作動部材１１及び第２の作動部材１２が回動してしまうことを防止することができるので、次の取付操作が容易である。
【００５０】
次に図１４は本発明の更に他の実施の形態を示すものである。
この実施の形態は、第１の作動部材１１を第２の作動部材１２の両側に設けたことを特徴とするもので、その他の構成要素は同様であるので、対応する構成要素には同一の符号を付して重複する説明は省略する。
この実施の形態では、第２の作動部材１２の左右側の傾斜面１７は、山形に配置されており、いずれの側においても、上側に第１の作動部材１１、下側に第２の作動部材１２が配置される構成である。
【００５１】
このように第１の作動部材１１、１１’を第２の作動部材１２の両側に設けた場合には、部品点数は多くなるものの、第２の作動部材１２を傾斜面１７に沿って支持用棒状体３方向に滑らせるための第１の作動部材１１、１１’からの押圧力を、第２の作動部材１２の左右側から均等に加えることができるので、より円滑な動作が可能となる。
【００５２】
次に図１５は本発明の更に他の実施の形態を示すものである。
この実施の形態では、以上の実施の形態と異なり、取付品支持部材に取り付ける取付品はベッドの長手方向端部側に取り付けるボード２４であり、この場合には取付品支持部材は図１に示すようなボード受け２５である。このボード受け２５には支持用棒状体２６を突設している。
一方、以上の実施の形態と同様な溝形支持部材３は、ベッドフレーム１の長手方向部材２に、その長手方向に突設しており、この溝形支持部材３に、以上の実施の形態と同様な押圧支持機構が設けられている。
【００５３】
以上の構成においては、ボード受け２５によってベッドの長手方向端部側に取り付けるボード２４の支持位置を変更することにより、ベッドフレーム２の床長の変更に対応させることができる。
【産業上の利用可能性】
【００５４】
以上のとおり、本発明では、以下に示すような利点があり、病院や在宅等において使用されるベッドに適用して、産業上の利用可能性が大である。
【００５５】
本発明では、ベッドの床幅に関して次の利点がある。
１．共通のベッドフレームに対して、支持するボトムの床幅を変更した場合にも、付属品取付用部材を適切な位置に支持することができる。
２．従ってベッドフレームを共通化することができるので、コストの低減を図ることができる。
３．付属品取付用部材の位置の変更は、特別な工具を必要とせずに行うことができ、また非常に堅固にガタ無く支持することができる。
【００５６】
本発明では、ベッドの床長に関して次の利点がある。
１．ボトムを外したり、ボードを外すという作業の他は、ベッドフレームを分解せずに、その長さを変更することができ、非常に作業性が良い。
２．異なった床長のベッドフレームを共通化することができるので、製造性が良く、製造コスト、管理コスト、購入コストの低減を図ることができる。
３．棒状部材に対して独立して構成したボード受けを、溝形部材により遊び無く強固に棒状部材に取り付けることができ、ベッドとしての使用性を悪化させない。
【図面の簡単な説明】
【００５７】
【図１】本発明を適用したベッドをボトムを省略して示すもので斜視図である。
【図２】本発明の実施の形態を示すもので、要部斜視図である。
【図３】本発明の実施の形態を示すもので、要部横断面図である。
【図４】図３とは異なった局面において示す要部横断面図である。
【図５】本発明の他の実施の形態を示すもので、要部横断面図である。
【図６】図５とは異なった局面において示す要部横断面図である。
【図７】本発明の実施の形態を示すもので、要部縦横断面図である。
【図８】本発明の実施の形態を示すもので、図７とは異なった局面において示す要部縦横断面図である。
【図９】本発明の実施の形態を示すもので、図７、図８とは異なった局面において示す要部縦横断面図である。
【図１０】本発明の他の実施の形態を示す斜視図である。
【図１１】図１０に示す実施の形態の構成要素を示す拡散図である。
【図１２】図１１の拡散図に示す第２の作動部材を別の角度から見た斜視図である。
【図１３】本発明の他の実施の形態を示す断面図である。
【図１４】本発明の更に他の実施の形態の断面図である。
【図１５】本発明の更に他の実施の形態の斜視図である。
【符号の説明】
【００５８】
１                    ベッドフレーム
２                    長手方向部材
３                    溝形支持部材
４                    取付品支持部材
５                    支持用棒状体
６                    押圧支持機構
７ａ，７ｂ            開口縁
８                    ナット
９                    回転操作部材
１０                  ボルト
１１                  第１の作動部材
１２                  第２の作動部材
１３、１４            係合孔
１５                  雄ねじ部
１６                  段部
１７                  傾斜面
１８                  回動防止部
１９                  突起
２０ａ，２０ｂ，２０ｃ  係合部（係合孔）
２１                  ボトム
２２                  取付孔部材
２３                  補強リブ
２４                  ボード（フットボード）
２５                  ボード受け
２６                  支持用棒状体
２７                  回転操作部材
２８                  切欠部
２９                  断面矩形状突出部
【図１】
0005224450.tif 000002
【図２】
0005224450.tif 000003
【図３】
0005224450.tif 000004
【図４】
0005224450.tif 000005
【図５】
0005224450.tif 000006
【図６】
0005224450.tif 000007
【図７】
0005224450.tif 000008
【図８】
0005224450.tif 000009
【図９】
0005224450.tif 000010
【図１０】
0005224450.tif 000011
【図１１】
0005224450.tif 000012
【図１２】
0005224450.tif 000013
【図１３】
0005224450.tif 000014
【図１４】
0005224450.tif 000015
【図１５】
0005224450.tif 000016